(57)【要約】      （修正有）【課題】従来のスライド折刃型カッターの刃体の切れ味の低下は刃先の僅かな磨耗によって生ずるものであり、それによってその数十倍の体積を持つ刃本体を切断して捨ててしまうことは大きな資源の無駄使いである。かかる資源の無駄使いを防止委したカッターを提供する。【解決手段】一辺に刃先１ａを備えた刃体１を軸着した支軸２を介して刃体１を反転させることにより収納ハンドル３に刃体１を収納させる折りたたみ式カッターであって、収納ハンドル３へ刃体１の収納時の刃先１ａの通過位置に砥石板４を弾性部材５を介して傾斜させて装着し、刃体１の収納時に刃先１ａと砥石板４と接触摺動させて、砥石板４による刃先１ａの刃先砥ぎを半自動的に且つ容易にしたものであり、更に、砥石板４と刃先１ａとの接触角度を変更する又は非接触状態にする砥石板角度変更装置６を備えた。【選択図】図１
2007195734.tif 000002
【特許請求の範囲】
【請求項１】
一辺に刃先を備えた刃体を軸着した支軸を介して刃体を反転させることにより収納ハンドルに刃体を収納させる折りたたみ式カッターであって、前記収納ハンドルへ前記刃体の収納時の前記刃先の通過位置に砥石板を弾性部材を介して所望角度に傾斜させて装着し、前記刃体の収納時に前記刃先と砥石板と接触摺動させて、前記砥石板による前記刃先の刃先砥ぎを半自動的に且つ容易にしたことを特徴とする砥ぎ装置付折りたたみ式収納カッター。
【請求項２】
前記砥石板と前記刃先との接触角度を変更する又は非接触状態にする砥石板角度変更装置を備えたことを特徴とする請求項１に記載の砥ぎ装置付折りたたみ式収納カッター。
【請求項３】
前記刃体は有錆性金属刃材、不錆性金属刃材、セラミック刃材、ダイヤモンド粒子ハイブリット刃材、窒化物粒子ハイブリット刃材、酸化物粒子ハイブリット刃材、炭化物粒子ハイブリット刃材、硬質物粒子添加熱可塑性樹脂ハイブリット刃材、硬質物粒子添加熱硬化性樹脂ハイブリット刃材の何れかとすることを特徴とする請求項１又は請求項２に記載の砥ぎ装置付折りたたみ式収納カッター。
【請求項４】
前記砥石板は天然砥石、人工砥石、セラミック砥石、ダイヤモンド砥石、プラスチックハイブリッド砥石の何れかとすることを特徴とする請求項１又は請求項２に記載の砥ぎ装置付折りたたみ式収納カッター。
【発明の詳細な説明】
【技術分野】
【０００１】
本発明は、刃体を反転させることにより収納ハンドルに刃体を収納させる折りたたみ式カッターに関するものであり、更に詳細には、収納ハンドルに刃体を収納させる反転動作により刃先を傾斜させた砥石板で砥ぐことを可能としたため、常に刃先の鋭利性を損なうことなく、従来、広く使用されているスライド式折刃型カッターの問題点である刃体の切断廃棄の危険ゴミの発生防止、及び、資源の無駄の排除を実現する砥ぎ装置付折りたたみ式収納カッターに関するものである。
【背景技術】
【０００２】
従来、一般に多用されているスライド式折刃型カッターの刃体は、ステンレスやハガネ製などで形成され、その殆どがＨＶ７００以下の低硬度刃物であるので、短時間の使用で刃先の先端に磨耗を惹起して折り捨てられてしまっており、刃折用の溝が設けられた折刃型カッターの刃体は折容易性がそれを更に助長し、多量の危険ゴミが廃棄されている実情である。
【０００３】
本来、スライド折刃型カッターの刃体の切れ味の低下は刃先の僅かな磨耗によって生ずるものであり、それによってその数十倍の体積を持つ刃本体を切断して捨ててしまうことは大きな資源の無駄使いであり、更に、近年該カッターを主用するテープ類、紐類、紙、包装材等には硬質物を含有するものが多用される結果、刃先の摩耗の進行が速く、より多くの折り捨て刃体急増しているが、この刃先に砥ぎを加えれば容易に解決されるが、もともと薄刃で、且つ、小さな刃先は砥ぎにくく、砥ぎながら使用する人が殆ど居ないのが現状で、この砥ぎを自動的に且つ有効性を保持しながら容易に行える砥ぎ装置付のカッターは、資源活用の上で大なる恩恵を受けるものである。
【０００４】
前述のように、日常最も高頻度利用される刃物として、作業用の折刃型カッターがあり、プラスチックフイルムやビニール紐、段ボール、布等の切断に頻繁に利用されており、世界で一日に折り取られ破棄される折刃型カッターの刃数は膨大な数にのぼるが、その主因の一つはすぐ切れなくなる炭素鋼系のＨＶ７００以下の低硬度刃材を用いて刃体が造られているからであり、更には、刃体の最先端の鋭利性が失われると容易に折り捨てられて新刃を利用する習慣に基づくものであり、一方近年、プラスチック材の進歩により、各種のハイブリットを含めた高強度なプラチック主材のフイルムやテープ等が多用される結果、これを切断するカッターの刃体の寿命は益々短期化され、故に折り捨てられる折刃カッターの刃数は益々増加の一途を辿っており、資源の膨大な無駄使いを呈すると共に、折り捨てられた刃体は危険性をもつゴミとなり、環境破壊の一因とも成っている現状で、単に切る目的のみ折刃型カッターの刃体の刃先のほんの一部の磨耗のみで捨てられる現状は見るにしのびなく、且つ、経済的損失も大きいものである。
【０００５】
その為に、例えば、開示されている、カッター本体１に組み込まれているスリーブ部分の先端に、研磨剤及び砥石を付けることにより、使用時の刃の出し入れによって刃を研磨する。従って、常に刃の切れ味が良い状態を保つことが可能になる。また、本体後部に付いている、従来の刃を折るための付属品に、研磨剤及び砥石を組み込まれた溝を作ることにより、この５の部分を刃に直接あてて、さらに研磨することが出来、刃の寿命を長持ちさせるので、経済的に役立つもの（特許文献１参照）や、又別に、刃物の柄１の後端部に収納凹部６を形成し、その収納凹部６に対して砥石台７に取付けられた砥石８，８ａ，８ｂを挿入するとともに、同砥石台７を前記柄１の後端部に対し脱着可能に構成したもの（特許文献２参照）や、更には又別に、刃体１と、この刃体１を支持する柄２と、この柄２に着脱自在な砥石３と、を備えた刃物Ｘであって、柄２の外面のうち、刃体１の厚み方向に間隔を隔てた一対の側面２１ａ，２１ｂの少なくとも一方の全体または一部は、刃体１の厚み方向中心線Ｌに対して傾斜した平面状の傾斜面とされており、砥石３を用いて刃体１の刃先部１３を研ぐときには、上記傾斜面が所望の台５の表面５１に接触するように柄２を台５上に載置することによって刃体１がその刀背１４から刃先１５に向かうにつれて上方に変位する斜めの姿勢に設定可能とされているもの（特許文献３参照）がある。
【特許文献１】登録実用新案第３０２１７１０号公報
【特許文献２】実用新案登録公告平３−３９１８１号公報
【特許文献３】特開２００４−２２９７４４号公報
【発明の開示】
【発明が解決しようとする課題】
【０００６】
然し乍ら、特許文献１に記載のものは、折刃型カッターに研磨剤及び砥石を組み込んだものであり、カッター本体１のスリーブ部分の先端に組み込まれている研磨剤及び砥石６の取付構造等は公報を具に検討しても理解できず、又、従来の刃を折るための付属品５に研磨剤及び砥石を組み込まれた溝を作っているものであるが、折刃型カッターの刃を収納する動作で砥ぐことは不可能であり、収納の前に折刃型カッターの刃に研磨剤及び砥石６又は刃を折るための付属品５を手で把持して当て砥ぐものであり、更に、砥ぐ方向も刃付け方向に対して平行であり、切れ味の回復は能率の悪いものであり、本来、刃砥ぎについて有効な砥石動作の方向は刃先に対して略直角方向に砥ぐことが効率的なことは常識であり、殆どの砥ぎ方は刃線に対して直交型であり、刃線に対して平行方向での砥ぎは有効でなく、単に刃厚を薄くするのみで刃先のみを鋭利化することは難しいものである。
【０００７】
又、特許文献２に記載のものは、刃物の柄１の後端部に形成した収納凹部６に砥石８，８ａ，８ｂを取付けられた砥石台７を着脱自在に挿入しているもので、使用するときは砥石台７を柄１から引き抜いて砥石８，８ａ，８ｂで刃物の刃先を手で把持して砥ぐもので、単に砥石が柄１に収納されているだけで、砥ぐ場合は従来と同様に砥ぐものである。
【０００８】
更には、特許文献３に記載のものでも、刃体１を支持する柄２に着脱自在な砥石３を備えた刃物Ｘであって、砥石３を用いて刃体１の刃先部１３を研ぐときには、傾斜面が所望の台５の表面５１に接触するように柄２を台５上に載置することによって刃体１がその刀背１４から刃先１５に向かうにつれて上方に変位する斜めの姿勢に設定可能としているもので、砥ぐ時は柄２から砥石３を取り外して所望の台に載置して従来と同様に砥ぐものである。
【課題を解決するための手段】
【０００９】
前記課題に鑑み、鋭意研鑽の結果、本発明の砥ぎ装置付折りたたみ式収納カッターは、一辺に刃先を備えた刃体を軸着した支軸を介して刃体を反転させることにより収納ハンドルに刃体を収納させる折りたたみ式カッターであって、収納ハンドルへ刃体の収納時の刃先の通過位置に砥石板を弾性部材を介して傾斜させて装着し、刃体の収納時に刃先と砥石板と接触摺動させて、砥石板による刃先の刃先砥ぎを半自動的に且つ容易にしたものであり、更に、砥石板と刃先との接触角度を変更する又は非接触状態にする砥石板角度変更装置を備えたものであり、更には、刃体は有錆性金属刃材、不錆性金属刃材、セラミック刃材、ダイヤモンド粒子ハイブリット刃材、窒化物粒子ハイブリット刃材、酸化物粒子ハイブリット刃材、炭化物粒子ハイブリット刃材、硬質物粒子添加熱可塑性樹脂ハイブリット刃材、硬質物粒子添加熱硬化性樹脂ハイブリット刃材の何れかとするものであり、加えて、砥石板は天然砥石、人工砥石、セラミック砥石、ダイヤモンド砥石、プラスチックハイブリッド砥石の何れかとするものである。
【発明の効果】
【００１０】
本発明の砥ぎ装置付折りたたみ式収納カッターは、従来、刃先の磨耗により折り捨てられる折刃型カッターとは根本的に異なるもので、具体的には、刃先を非使用時に収納し、且つ、握り手用に必備される刃体の収納ハンドルの内部に収納時に刃先を砥ぎ得る砥石板を装備したものであり、砥石板は所望の角度で刃先に摺接されるように設置され、刃体を収納ハンドルに反転して収納する度に常時刃先の砥ぎ作用が実施され、常に鋭利に砥がれることと成るため、折り捨てられることが無く、長期の使用を可能としたもので、非常に有用であり、危険ゴミの解消に役立つと共に、資源の有効利用に直結するものである。
【発明を実施するための最良の形態】
【００１１】
以下、本発明の砥ぎ装置付折りたたみ式収納カッターの実施例の図面を用いて詳細に説明すると、図１は本発明の砥ぎ装置付折りたたみ式収納カッターの実施例の使用状態の正面図であり、図２は本発明の砥ぎ装置付折りたたみ式収納カッターの実施例の収納時の断面説明図であり、図３は本発明の砥ぎ装置付折りたたみ式収納カッターの実施例の収納直前の断面説明図であり、図４は本発明の砥ぎ装置付折りたたみ式収納カッターの実施例の刃先が接触時の断面説明図であり、図５は本発明の砥ぎ装置付折りたたみ式収納カッターの実施例の刃先を収納時の断面説明図である。
【００１２】
本発明は、刃体１を反転させることにより収納ハンドル３に刃体１を収納させる折りたたみ式カッターに関するものであり、請求項１に記載の砥ぎ装置付折りたたみ式収納カッターは、一辺に刃先１ａを備えた刃体１を軸着した支軸２を介して刃体１を反転させることにより収納ハンドル３に刃体１を収納させる折りたたみ式カッターであって、前記収納ハンドル３へ前記刃体１の収納時の前記刃先１ａの通過位置に砥石板４を弾性部材５を介して所望角度に傾斜させて装着し、前記刃体１の収納時に前記刃先１ａと砥石板４と接触摺動させて、前記砥石板４による前記刃先１ａの刃先砥ぎを半自動的に且つ容易にしたことを特徴とするものである。
【００１３】
更に、請求項２に記載の砥ぎ装置付折りたたみ式収納カッターは、請求項１に記載の砥ぎ装置付折りたたみ式収納カッターにおいて、砥石板４と前記刃先１ａとの接触角度を変更する又は非接触状態にする砥石板角度変更装置６を備えたことを特徴とするものである。
【００１４】
更には、請求項３に記載の砥ぎ装置付折りたたみ式収納カッターは、請求項１又は請求項２に記載の砥ぎ装置付折りたたみ式収納カッターにおいて、前記刃体１は有錆性金属刃材、不錆性金属刃材、セラミック刃材、ダイヤモンド粒子ハイブリット刃材、窒化物粒子ハイブリット刃材、酸化物粒子ハイブリット刃材、炭化物粒子ハイブリット刃材、硬質物粒子添加熱可塑性樹脂ハイブリット刃材、硬質物粒子添加熱硬化性樹脂ハイブリット刃材の何れかとすることを特徴とするものである。
【００１５】
加えて、請求項４に記載の砥ぎ装置付折りたたみ式収納カッターは、請求項１又は請求項２に記載の砥ぎ装置付折りたたみ式収納カッターにおいて、前記砥石板５は天然砥石、人工砥石、セラミック砥石、ダイヤモンド砥石、プラスチックハイブリッド砥石の何れかとすることを特徴とするものである。
【実施例】
【００１６】
即ち、本発明の砥ぎ装置付折りたたみ式収納カッターの刃体１は、細長い薄板状の長手方向の一辺に刃先１ａを備えており、該刃先１ａは鋭利に成るように両面又は片面を傾斜させて成形されており、基端辺には後述する収納ハンドル３と軸着させた支軸２を備えると共に、他辺側には刃体１を使用状態から反転収納、収納状態から反転繰り出せるように指押し作動用突起部１ｂを備えているものである。
【００１７】
そして、収納ハンドル３は支軸２を介して刃体１を反転可能に軸着し、刃体１を反転させることにより収納ハンドル３に収納するものであり、断面が略薄い樋状に形成され、使用状態では図１に図示する如く、刃体１と直線の棒状となり、収納ハンドル３を手で把持して切断作業を実施するもので、切断作業の終了時には刃体１を反転させることにより図２に図示する如く収納ハンドル３に収納させるもので、刃体１の繰り出しを容易とする繰り出し凹部３ａが設けられ、更には、後述する砥石板４及び弾性部材５を内装すると共に、砥石板角度変更装置６を備えているものである。
【００１８】
次いで、砥石板４は薄板状のもので所望の砥石をプレート状に成形したもので良く、収納ハンドル３の内側に後述する弾性部材５により傾斜させて装着されるものであり、刃体１を反転させて収納時に刃先１ａの通過収納位置に装着させており、刃先１ａと傾斜面が接触摺動するように内装するものである。
【００１９】
更には、弾性部材５は板バネ、スポンジ等で良く、収納ハンドル３の内側に砥石板４を適宜な角度で傾斜させて支持するもので、つまり、収納ハンドル３に刃体１を反転させて収納するとき、弾性部材５が弾性を付与して常に砥石板４の傾斜面と刃体１の刃先１ａが斜めに圧接するようにしており、更に、刃体１を折曲すると砥石板４の傾斜面を刃体１の刃先１ａが弾性部材５の弾性に抗して摺動して刃先１ａを砥ぐものである。
【００２０】
更に、砥石板角度変更装置６は砥石板４と刃先１ａとの接触角度を自在に変更できるもので、収納ハンドル３の側面に螺孔を設けると共に、該螺孔にボルトを螺合させて、該ボルトの先端を砥石板４に当接させ、該ボルトを進退させることで弾性部材５の弾性により砥石板４の傾斜角度を調節して設定できるもので、刃先１ａへの砥ぎ角度を有効に制御設定をすると共に、砥ぎを必用としない時は、砥石板角度変更装置６のボルトにより砥石板４を弾性部材５の弾性に抗して後退させ刃先１ａを非接触として砥ぎ作用を回避するものである。
【００２１】
そして、図１に図示する使用状態から、刃体１を支軸２を中心として反転させて図２に図示するように収納ハンドル３に収納状態とするものであるが、先ず、収納の直前では図３に図示する状態と成り、そこから更に枢動させることで、図４に図示するように、刃体１の刃先１ａが砥石板５の傾斜面と当接し、更に、枢動させることにより、図５に図示するように、収納状態と成るものであるが、この時、刃体１の刃先１ａが砥石板４の傾斜面を摺動するものであり、砥石板４は弾性部材５により弾性を付与されているため刃体１の刃先１ａに適宜な力で押圧されることにより、刃先１ａを効率的に砥ぐことができるものである。
【００２２】
更には、刃体１は有錆性金属刃材、不錆性金属刃材、セラミック刃材、ダイヤモンド粒子ハイブリット刃材、窒化物粒子ハイブリット刃材、炭化物粒子ハイブリット刃材、酸化物粒子ハイブリット刃材、硬質物粒子添加熱可塑性樹脂ハイブリット刃材、硬質物粒子添加熱硬化性樹脂ハイブリット刃材の何れかとするものである。
【００２３】
そして、砥石板５は天然砥石、人工砥石、セラミック砥石、ダイヤモンド砥石、プラスチックハイブリッド砥石の何れかとするものである。
【産業上の利用可能性】
【００２４】
本発明の砥ぎ装置付折りたたみ式収納カッターは、刃先の摩耗により折り捨てられる従来の折刃型カッターの無駄を排除するカッターとして有用であり、刃先の砥ぎ作業を使用現場で可能とし資源を無駄にすること無く、常に鋭利に砥がれた刃先となり長期の使用を可能としたもので、砥ぎ装置付折りたたみ式収納カッターを提供するものである。
【図面の簡単な説明】
【００２５】
【図１】図１は本発明の砥ぎ装置付折りたたみ式収納カッターの実施例の使用状態の正面図である。
【図２】図２は本発明の砥ぎ装置付折りたたみ式収納カッターの実施例の収納時の断面説明図である。
【図３】図３は本発明の砥ぎ装置付折りたたみ式収納カッターの実施例の収納直前の断面説明図である。
【図４】図４は本発明の砥ぎ装置付折りたたみ式収納カッターの実施例の刃先が接触時の断面説明図である。
【図５】図５は本発明の砥ぎ装置付折りたたみ式収納カッターの実施例の刃先を収納時の断面説明図である。
【符号の説明】
【００２６】
１      刃体
１ａ    刃先
１ｂ    指押し作動用突起部
２      支軸
３      収納ハンドル
３ａ    繰り出し用凹部
４      砥石板
５      弾性部材
６      砥石板角度変更装置
【図１】
2007195734.tif 000003
【図２】
2007195734.tif 000004
【図３】
2007195734.tif 000005
【図４】
2007195734.tif 000006
【図５】
2007195734.tif 000007